(57)【要約】  【課題】インターリーブ方式又はブリッジレス方式を任意に選択可能な電源装置と、この電源装置を用いて空調負荷が大きい場合にはインターリーブ方式を、空調負荷が小さい場合にはブリッジレス方式を選択できる空気調和機を提供する。  【解決手段】電源装置１はインターリーブ方式、もしくは、ブリッジレス方式での動作を指示する方式指示信号で指示された方式で動作するスイッチング制御部４０と、スイッチング制御部４０がインターリーブ方式で動作する場合にインダクタ１４の他端をインダクタ１５の他端に接続し、配線３３をブリッジダイオード１３の正極端子から切り離し、スイッチング制御部４０がブリッジレス方式で動作する場合にインダクタ１４の他端を配線３２に接続し、配線３３をブリッジダイオード１３の正極端子に接続する切替手部８を備える。また、空気調和機１０は空調負荷に対応して方式指示信号を出力する方式判定部５０を備える。【選択図】図１
2018029457.tif 000002
【特許請求の範囲】
【請求項１】
交流電源に接続される第１配線と第２配線と、
前記第１配線が第１入力端子に接続され、前記第２配線が第２入力端子に接続されたブリッジダイオードと、
第１インダクタと、第２インダクタと、第１ダイオードと、第２ダイオードと、
前記第１ダイオードのカソード端子と前記第２ダイオードのカソード端子が接続された正極出力端子と、
前記ブリッジダイオードの負極端子と接続された負極出力端子と、
前記第１インダクタの一端と前記第１ダイオードのアノード端子の接続点と前記ブリッジダイオードの負極端子との間で短絡／開放する第１スイッチング素子と、
前記第２インダクタの一端と前記第２ダイオードのアノード端子の接続点と前記ブリッジダイオードの負極端子との間で短絡／開放する第２スイッチング素子と、
前記正極出力端子と前記負極出力端子との間に接続された平滑コンデンサとを備え、
前記第２インダクタの他端が前記ブリッジダイオードの正極端子に接続された電源装置であって、
前記電源装置は、
インターリーブ方式、もしくは、ブリッジレス方式での動作を指示する方式指示信号が入力され、前記方式指示信号で示される方式に従ってそれぞれ前記第１スイッチング素子と前記第２スイッチング素子を制御するスイッチング制御手段を備えていることを特徴とする電源装置。
【請求項２】
前記電源装置は、前記スイッチング制御手段がインターリーブ方式で動作する場合に前記第１インダクタの他端を前記第２インダクタの他端に接続し、前記第２配線を前記ブリッジダイオードの正極端子から切り離し、前記スイッチング制御手段がブリッジレス方式で動作する場合に前記第１インダクタの他端を前記第１配線に接続し、前記第２配線を前記ブリッジダイオードの正極端子に接続する切替手段を備えていることを特徴とする請求項１記載の電源装置。
【請求項３】
請求項１又は請求項２に記載の前記電源装置と、圧縮機を駆動するモータとを備えた室外機と、前記室外機に運転指示を与える室内機とを備えた空気調和機であって、
前記室外機は前記室内機から指示された設定温度と室温の温度差を算出し、同温度差が予め定められた温度差閾値以上の時にインターリーブ方式を、前記温度差が前記温度差閾値未満の時にブリッジレス方式をそれぞれ指示する前記方式指示信号を前記電源装置へ出力する方式判定手段を備えていることを特徴とする空気調和機。
【請求項４】
前記方式判定手段は、前記圧縮機のモータの運転開始時又は、運転停止となった時に前記方式指示信号を出力することを特徴とする請求項３記載の空気調和機。
【請求項５】
前記方式判定手段は、前記圧縮機のモータが運転停止となった時にブリッジレス方式を指示する前記方式指示信号を出力することを特徴とする請求項３又は請求項４に記載の空気調和機。
【発明の詳細な説明】
【技術分野】
【０００１】
本発明は、電源装置に係わり、より詳細には、インターリーブ方式とブリッジレス方式との切り換えによって電力変換効率を向上させた構成に関する。
【背景技術】
【０００２】
近年、多くの製品にインバータで圧縮機を駆動する方式が採用されており、また、インバータに直流電源を供給するコンバータ（電源装置）に力率を改善するＰＦＣ（Power Factor Conrrection）回路が採用されている場合が多い。
【０００３】
このＰＦＣを用いたコンバータを小型で、また、高効率で実現する手段のひとつに、インターリーブ方式を用いたものがある。インターリーブ方式は、電源を複数系統に分けて各相に位相差をもたせ、リップルなどを互いに打ち消しあう回路方式である。２相のインターリーブ方式の場合には、電流位相が１８０度の位相差を持つことでリップルが相殺され、ノイズフィルタの小型化に大きく貢献できる。また、トータルの部品点数は増えるが、個々のインダクタや出力コンデンサ、スイッチング素子などを小型化でき、また、スイッチング回路が複数系統になることで発熱も分散されるメリットもある。
【０００４】
図６はこのようなインターリーブ回路方式が採用された電源装置の一例である。
この電源装置は、交流電源から入力される交流電力を全波整流する整流回路ＲＦＹ１と、整流回路ＲＦＹ１の出力を二分岐する分岐配線と、同分岐配線に一端が接続されたインダクタＬ１１，Ｌ１２と、同インダクタＬ１１，Ｌ１２の他端に直列に接続されたダイオードＤ１１，Ｄ１２と、同ダイオードから出力される電流をチャージする平滑コンデンサＣ１と、インダクタＬ１１，Ｌ１２に対応して設けられ、インダクタＬ１１，Ｌ１２の他端をグランドに短絡／開放するトランジスタＱ１１，Ｑ１２と、入力電流が正弦波状となるようにトランジスタＱ１１，Ｑ１２に駆動信号を出力するＰＦＣコントローラＩＣ１１とを備えている（例えば、特許文献１参照。）。
【０００５】
例えばこのようなインターリーブ方式の電源装置を搭載した空気調和機では、大きい負荷、例えば圧縮機を高速で回転させる場合、スイッチング動作を行なって直流電圧を昇圧する。一方、負荷が小さい場合は昇圧が不必要であるのにスイッチング動作を行なうことになり、スイッチング素子での損失やインダクタの発熱で無駄な電力損失が発生する。つまり、このようなインターリーブ方式の電源装置は、負荷が大きい場合は電力変換効率が良く、負荷が小さい場合には電源効率が悪いという特性がある。
【０００６】
一方、他の電源装置としてブリッジレス方式を採用したものがある。図７はこのブリッジレス方式を採用した電源装置１００のブロック図である。
電源装置１００は、交流電源１１０の一端に一端が接続されたインダクタ１１２と、このインダクタ１１２の他端にアノード端子が接続されたダイオード１１６ａと、交流電源１１０の他端にアノード端子が接続されたダイオード１１６ｂと、ダイオード１１６ａとダイオード１１６ｂのカソード端子が接続され、直流電圧が出力される正極側の出力端子１１１と、直流電圧が出力される負極側の出力端子１１１と、正極側の出力端子１１１と負極側の出力端子１１１との間に接続された平滑コンデンサ１１３と、ダイオード１１６ａのアノード端子と負極側の出力端子１１１との間に直列に接続されたスイッチング素子１１４ａとシャント抵抗１１５ａと、ダイオード１１６ｂのアノード端子と負極側の出力端子１１１との間に直列に接続されたスイッチング素子１１４ｂとシャント抵抗１１５ｂとを備えている。
【０００７】
また、電源装置１００は、交流電源１１０の電圧と出力電圧をそれぞれ検出する電圧検出部１１８と、シャント抵抗１１５ａとシャント抵抗１１５ｂのそれぞれの両端電圧から各スイッチング素子に流れる電流を検出する電流検出部１１９と、電流検出部１１９で検出した電流と電圧検出部１１８で検出した各電圧が入力され、これらの入力された信号に基づいてＰＷＭ制御により生成され、スイッチング素子１１４ａとスイッチング素子１１４ｂをオンオフさせるスイッチングパルス信号を出力する制御部１１７を備えている。（例えば、特許文献２参照。）。
【０００８】
このようなブリッジレス方式の電源装置は交流入力電圧のピーク電圧に出力電圧が近いほど電力変換効率が良くなるが力率は低くなる。また、出力電圧が交流入力電圧のピーク電圧よりも高いほど力率は良くなるが電力変換効率は低くなる。つまり、ブリッジレス方式の電源装置は出力電圧が高い機器に使用すると電力変換効率が悪くなる問題があった。
【０００９】
一方、一般的な空気調和機の運転においては、運転の立ち上がりやハイパワー運転などの空調負荷が大きい運転期間よりも、それ以外の空調負荷が小さい運転期間の方が長い。このため、インターリーブ方式又はブリッジレス方式を任意に選択可能な電源装置と、この電源装置を用いて空調負荷が大きい場合には電力変換効率が高いインターリーブ方式を、空調負荷が小さい場合には電力変換効率に優れたブリッジレス方式を選択できる空気調和機が望まれていた。
【先行技術文献】
【特許文献】
【００１０】
【特許文献１】特開２００７−１９５２８２号公報（第５−６頁、図１）
【特許文献２】特開２０１４−１３８４６３号公報（第５−７頁、図１）
【発明の概要】
【発明が解決しようとする課題】
【００１１】
本発明は以上述べた問題点を解決し、インターリーブ方式又はブリッジレス方式を任意に選択可能な電源装置と、この電源装置を用いて空調負荷が大きい場合にはインターリーブ方式を、空調負荷が小さい場合にはブリッジレス方式を選択できる空気調和機を提供することを目的とする。
【課題を解決するための手段】
【００１２】
本発明は上述の課題を解決するため、本発明の請求項１に記載の発明は、交流電源に接続される第１配線と第２配線と、
前記第１配線が第１入力端子に接続され、前記第２配線が第２入力端子に接続されたブリッジダイオードと、
第１インダクタと、第２インダクタと、第１ダイオードと、第２ダイオードと、
前記第１ダイオードのカソード端子と前記第２ダイオードのカソード端子が接続された正極出力端子と、
前記ブリッジダイオードの負極端子と接続された負極出力端子と、
前記第１インダクタの一端と前記第１ダイオードのアノード端子の接続点と前記ブリッジダイオードの負極端子との間で短絡／開放する第１スイッチング素子と、
前記第２インダクタの一端と前記第２ダイオードのアノード端子の接続点と前記ブリッジダイオードの負極端子との間で短絡／開放する第２スイッチング素子と、
前記正極出力端子と前記負極出力端子との間に接続された平滑コンデンサとを備え、
前記第２インダクタの他端が前記ブリッジダイオードの正極端子に接続された電源装置であって、
前記電源装置は、
インターリーブ方式、もしくは、ブリッジレス方式での動作を指示する方式指示信号が入力され、前記方式指示信号で示される方式に従ってそれぞれ前記第１スイッチング素子と前記第２スイッチング素子を制御するスイッチング制御手段を備えていることを特徴とする。
【００１３】
また、請求項２に記載の発明は、前記電源装置は、前記スイッチング制御手段がインターリーブ方式で動作する場合に前記第１インダクタの他端を前記第２インダクタの他端に接続し、前記第２配線を前記ブリッジダイオードの正極端子から切り離し、前記スイッチング制御手段がブリッジレス方式で動作する場合に前記第１インダクタの他端を前記第１配線に接続し、前記第２配線を前記ブリッジダイオードの正極端子に接続する切替手段を備えていることを特徴とする。
【００１４】
また、請求項３に記載の発明は、請求項１又は請求項２に記載の前記電源装置と、圧縮機を駆動するモータとを備えた室外機と、前記室外機に運転指示を与える室内機とを備えた空気調和機であって、
前記室外機は前記室内機から指示された設定温度と室温の温度差を算出し、同温度差が予め定められた温度差閾値以上の時にインターリーブ方式を、前記温度差が前記温度差閾値未満の時にブリッジレス方式をそれぞれ指示する前記方式指示信号を前記電源装置へ出力する方式判定手段を備えていることを特徴とする。
【００１５】
また、請求項４に記載の発明は、前記方式判定手段は、前記圧縮機のモータの運転開始時又は、運転停止となった時に前記方式指示信号を出力することを特徴とする。
【００１６】
また、請求項５に記載の発明は、  前記方式判定手段は、前記圧縮機のモータが運転停止となった時にブリッジレス方式を指示する前記方式指示信号を出力することを特徴とする。
【発明の効果】
【００１７】
以上の手段を用いることにより、本発明による電源装置によれば、空調負荷の大きさに対応してインターリーブ方式又はブリッジレス方式を選択して動作させることが可能なため、電力変換効率の優れた電源装置を提供することができる。
また、この電源装置を搭載した空気調和機によれば、空調負荷の大きさを判定し、この判定結果に対応して電源装置を最適な方式で動作させることができ、電力変換効率が高い空気調和機を提供することができる。
【図面の簡単な説明】
【００１８】
【図１】本発明による電源装置（インターリーブ方式を選択）を搭載した空気調和機の実施例を示すブロック図である。
【図２】本発明によるスイッチング制御部の実施例を示すブロック図である。
【図３】本発明による切替部の他の実施例を示すブロック図である。
【図４】本発明による電源装置（ブリッジレス方式を選択）を搭載した空気調和機の実施例を示すブロック図である。
【図５】本発明による空気調和機の動作を説明する説明図である。
【図６】従来のインターリーブ方式の電源装置を示すブロック図である。
【図７】従来のブリッジレス方式の電源装置を示すブロック図である。
【発明を実施するための形態】
【００１９】
以下、本発明の実施の形態を、添付図面に基づいた実施例として詳細に説明する。
【実施例１】
【００２０】
図１は本発明による電源装置１を用いた空気調和機１０の実施例を示すブロック図である。空気調和機１０は室外機２と、この室外機２と通信接続された室内機５と、リモコン５ａで構成されている。この室外機２は、交流電源３に接続された電源装置１と、図示しない圧縮機に内蔵されているモータ６と、モータ６を駆動するインバータ４と、インバータ４を制御する室外機制御部９と方式判定部（方式判定手段）５０で構成されている。なお、室内機５には温度センサ５ｂが搭載されており、室温を検出することができる。
【００２１】
室外機制御部９は、インバータ４に駆動信号を出力する。この駆動信号はＰＷＭ制御で生成されたスイッチングパルス信号であり、この信号のデューティー比を可変することで、インバータ４からモータ６へ出力される電圧を可変する。また、リモコン５ａが出力する運転指示のデータは運転モードと設定温度と風向板位置等を含んでおり、これを受信した室内機５は、運転モードと設定温度と、温度センサ５ｂで検出した室温のデータを室外機制御部９に送信する。
【００２２】
室外機制御部９は、これらのデータが入力されると運転情報として、運転モードと設定温度と室温と圧縮機のモータ６の運転開始／停止の情報を方式判定部５０へ出力し、方式判定部５０はこれらの情報から今後予想される空調負荷の大小を判定し、この判定結果から電源装置１の電力変換効率が高い制御方式を選択し、この選択した制御方式で電源装置１を動作させる方式指示信号を電源装置１へ出力する。なお、方式判定部５０の動作については後で詳細に説明する。
【００２３】
次に電源装置１について説明する。電源装置１は単相の交流電源３が入力される入力端２７と入力端２８と、直流が出力される正極出力端２５と負極出力端２６と、方式指示信号が入力される指示入力端３４とが備えられている。
そして、電源装置１の入力端２７には交流電源３の一方の電源線が接続され、他方の電源線は入力端２８に接続されている。入力端２７はブリッジダイオード１３の一方の入力端（第１入力端子）に配線（第１配線）３２で、また、入力端２８はブリッジダイオード１３の他方の入力端（第２入力端子）に配線（第２配線）３３で、それぞれ接続されている。また、入力端２７と入力端２８の間には、検出した交流電圧を交流電圧信号として出力する交流電圧検出部３０が接続されている。
【００２４】
ブリッジダイオード１３の正極端子は直列に接続されたインダクタ（第２インダクタ）１５とダイオード（第２ダイオード）１９とを介して正極出力端２５に、また直列に接続されたインダクタ（第１インダクタ）１４の一端とダイオード（第１ダイオード）１８は正極出力端２５に、それぞれ接続されている。一方、ブリッジダイオード１３の負極端子は直流電流検出部２３を介して負極出力端２６に接続されており、直流電流検出部２３は検出した直流電流を直流電流信号として出力する。また、正極出力端２５と負極出力端２６との間には、平滑コンデンサ２０と直流電圧検出部２１とが設けられており、直流電圧検出部２１は正極出力端２５と負極出力端２６の間の電圧を検出し、出力電圧信号として出力する。
【００２５】
さらに、インダクタ１５とダイオード１９の接続点と、負極出力端２６との間にスイッチング素子（第２スイッチング素子）１６が、また、インダクタ１４とダイオード１８の接続点と、負極出力端２６との間にスイッチング素子（第１スイッチング素子）１７が、それぞれ接続されており、スイッチング信号ａによってスイッチング素子１６が、また、スイッチング信号ｂによってスイッチング素子１７がそれぞれオン／オフされるようになっている。
【００２６】
また、電源装置１は、指示入力端３４から入力された方式指示信号に従って電源装置１をインターリーブ方式、もしくは、ブリッジレス方式のいずれかで制御するスイッチング制御部（スイッチング制御手段）４０を備えており、スイッチング制御部４０は、交流電圧信号と直流電流信号と出力電圧信号がそれぞれ入力され、スイッチングパルス信号ａとスイッチングパルス信号ｂを出力する。また、スイッチング制御部４０は、指示入力端３４から入力された方式指示信号をそのまま出力する。出力される方式指示信号はインターリーブ方式の回路とブリッジレス方式の回路接続を切り替える信号であり、この回路接続を切り替えるリレー１１とリレー１２のＣ接点リレーからなる切替部（切替手段）８へ出力されている。
【００２７】
リレー１１の共通接点であるｃ接点１１ｃは配線３３に、また、ブリッジダイオード１３の正極端子はリレー１１のａ接点１１ａに接続されている。また、リレー１２の共通接点であるｃ接点１２ｃはインダクタ１４の他端に、リレー１２のｂ接点１２ｂはブリッジダイオード１３の正極端子に、さらに、リレー１２のａ接点１２ａは配線３２に、それぞれ接続されている。そして、リレー１１とリレー１２は方式指示信号が入力され、方式指示信号がローレベルの時にそれぞれのｃ接点がそれぞれのｂ接点に接続され、方式指示信号がハイレベルの時にそれぞれのｃ接点がそれぞれのａ接点に接続される。なお、図１は切替部８によって電源装置１がインターリーブ方式の回路に切り替えられた状態を示している。
また、図１の切替部８は１回路２接点のリレーを用いているが、これに限るものでなく、２回路２接点のリレーを用いてもよい。
【００２８】
図２は本発明によるスイッチング制御部４０の内部を示すブロック図である。
このスイッチング制御部４０はブリッジレス方式制御部（ブリッジレス方式制御手段）４２とインターリーブ方式制御部（インターリーブ方式制御手段）４３とノット回路（反転手段）４４と信号切替部（信号切替手段）４１が備えられている。
【００２９】
ブリッジレス方式制御部４２とインターリーブ方式制御部４３は出力電圧信号と交流電圧信号と直流電流信号がそれぞれ入力されている。また、これらの制御部には、制御を許可するＥＮ端子（イネーブル端子）が設けられており、このＥＮ端子がハイレベルの時に各制御部が動作し、ＥＮ端子がローレベルの時に各制御部が動作を停止する。そして、スイッチング制御部４０に入力された方式指示信号がブリッジレス方式制御部４２のＥＮ端子に、また、この方式指示信号をノット回路４４で反転させた信号がインターリーブ方式制御部４３のＥＮ端子に接続されているため、方式指示信号がハイレベルの時にブリッジレス方式制御部４２が動作し、方式指示信号がローレベルの時にインターリーブ方式制御部４３が動作する。
【００３０】
一方、ブリッジレス方式制御部４２は、入力された出力電圧信号と交流電圧信号と直流電流信号から、スイッチング素子１６をオンオフ制御する駆動信号Ｂａとスイッチング素子１７をオンオフ制御する駆動信号Ｂｂを生成して信号切替部４１へ出力する。また、インターリーブ方式制御部４３は、入力された出力電圧信号と交流電圧信号と直流電流信号から、スイッチング素子１６をオンオフ制御する駆動信号Ｉａとスイッチング素子１７をオンオフ制御する駆動信号Ｉｂを生成して信号切替部４１へ出力する。
【００３１】
信号切替部４１は、入力された駆動信号Ｂａと駆動信号Ｉａのいずれか一方を方式指示信号に従って選択しスイッチングパルス信号ａとして出力する。また、信号切替部４１は、入力された駆動信号Ｂｂと駆動信号Ｉｂのいずれか一方を方式指示信号に従って選択しスイッチングパルス信号ｂとして出力する。つまり、信号切替部４１は、入力された方式指示信号がハイレベルの時はブリッジレス方式制御部４２が出力する駆動信号を、入力された方式指示信号がローレベルの時はインターリーブ方式制御部４３が出力する駆動信号を選択してスイッチングパルス信号として出力する。
【００３２】
図４は図１で説明した回路と同じであるが、方式指示信号がハイレベルとなることにより、リレー１２のｃ接点１２ｃがａ接点１２ａに接続され、リレー１１のｃ接点１１ｃがａ接点１１ａに接続されている。これにより、電源装置１がブリッジレス方式の回路に切り替えられた状態を示している。
【００３３】
図５は本発明による空気調和機１０の冷房運転時の動作を説明する説明図である。
図５の横軸は時間を示しており、縦軸に関して、図５（１）は室内機５が設置されている部屋の室温を、図５（２）は圧縮機の回転数、つまりモータ６の回転数を、図５（３）は室内機５が指示する運転指示を、図５（４）は室外機制御部９が出力する運転情報を、図５（５）は方式判定部５０が出力する方式指示信号をそれぞれ示している。なお、ｔ０〜ｔ９は時刻である。
【００３４】
図５（１）に示すようにｔ０で室温が３３℃であり、ｔ１においてリモコン５ａから運転モード（冷房）、設定温度（２８℃）、図示しない風向板位置（水平）からなる運転指示が室内機５に送信された時、これを受信した室内機５は運転モード（冷房）、設定温度（２８℃）、ｔ１時点における室温（３３℃）からなる運転指示を室外機制御部９へ出力する。そして、室内機５は風向板の位置を水平にする。
【００３５】
この運転指示が入力された室外機制御部９は、運転モード（冷房）、設定温度（２８℃）、室温（３３℃）、運転開始の指示からなる運転情報を方式判定部５０へ出力する。その後、室外機制御部９は、運転指示に従ってインバータ４に駆動信号を出力し、モータ６、つまり圧縮機を回転させてｔ１から２０ミリセカンド（各リレーの機械的遅延時間）経過したｔ２から冷房運転を開始する。
【００３６】
一方、方式判定部５０は運転情報が入力されると、この運転情報が運転開始であるため空調負荷の算出を実行する。具体的に方式判定部５０は、運転モードが冷房であるため、室温（３３℃）から設定温度（２８℃）を減算する。そして、方式判定部５０はこの算出結果である温度差（５℃）が予め定められた温度差閾値（３℃）以上であるため、空調負荷が大きいと判断して方式指示信号をローレベルにして出力し、インターリーブ方式による電源装置１の運転を指示する。
【００３７】
また、方式判定部５０は、例えば算出結果であるこの温度差が温度差閾値（３℃）未満なら空調負荷が小さいと判断して方式指示信号をハイレベル（ブリッジレス方式を指示）にして出力する。方式判定部５０は、もし運転モードが暖房であれば、設定温度から室温を減算する。算出結果による動作は冷房の場合と同じである。
【００３８】
また、方式判定部５０はｔ１で運転情報が入力されてからモータ６が回転を開始するｔ２までに方式指示信号を出力する。ｔ１〜ｔ２はリレー１１とリレー１２の機械的な接点の切替時間を考慮して少なくとも２０ミリセカンド以上が必要であるため、室外機制御部９は運転情報を方式判定部５０へ出力してから、少なくとも２０ミリセカンドが経過した後にインバータ４に駆動信号を出力する。
【００３９】
室外機制御部９はｔ２から圧縮機のモータ６の回転数を徐々に増加させ、ｔ３で最高回転数に達した後はこの回転数を維持する。このため、ｔ２時点で３３℃であった室温は徐々に低下し、ｔ４で設定温度まで低下している。そして図５（３）のｔ４に示すように室内機５はモータ６の運転を停止させる運転指示を室外機制御部９へ出力し、この運転指示が入力された室外機制御部９はｔ４以降にモータ６の回転数を徐々に低下させてｔ５でモータ６の運転を停止させる。
【００４０】
室外機制御部９はｔ５でモータ６の運転を停止させた時、図５（４）に示すように、この運転停止と運転モード（冷房）と設定温度（２８℃）とｔ５時点での室温（２７℃）からなる運転情報を方式判定部５０へ送信する。これが入力された方式判定部５０は、前述したように温度差を求める。ｔ５時点での温度差は−１℃であり、温度差閾値（３℃）未満（空調負荷は小）であるため、方式判定部５０は方式指示信号をハイレベルにして出力する。このため、切替部８はブリッジレス方式の回路に切り替え、スイッチング制御部４０もブリッジレス方式で動作する。
【００４１】
なお、温度差閾値は、前述した温度差を順次上昇、又は低下させながら、ブリッジレス方式とインターリーブ方式による運転を実験的に行い、それぞれの電力変換効率がクロスする時の温度差の値とすればよい。また、方式判定部５０においてモータ６の運転停止の運転情報が入力された場合、負荷の大小判別を省略して強制的にブリッジレス方式を選択、つまり、方式指示信号をハイレベルにして出力してもよい。
【００４２】
次にこの理由を説明する。電源装置１の出力電圧はインバータ４だけでなく、図示しない室外機用のファンモータにも使用される。このファンモータは、圧縮機のモータ６が運転停止となっても室外機制御部９によって回転を継続する場合があり、圧縮機のモータ６に比較して消費電流が非常に少ない（負荷が小さい）このようなファンモータを駆動する場合、ブリッジレス方式で運転される電源装置１の電源変換効率は、インターリーブ方式による電源装置１の場合よりも良く、電源損失を低減させることができる。このように、モータ６が運転停止となった時、電源装置１の出力電圧を消費電力が小さい（負荷が小さい）他の機器で使用する場合は強制的にブリッジレス方式に切り替えた方がよい場合がある。
【００４３】
一方、室外機制御部９はｔ５で圧縮機のモータ６の運転を停止したため、ｔ５から室温が徐々に上昇し、ｔ６で２９℃になっている。このため室内機５はモータ６の運転を開始させる運転指示を室外機制御部９へ出力し、この運転指示が入力された室外機制御部９はこの運転開始と運転モード（冷房）と設定温度（２８℃）とｔ６時点での室温（２９℃）からなる運転情報を方式判定部５０へ送信する。これが入力された方式判定部５０は、前述したように温度差を求める。ｔ６時点での温度差は１℃であり温度差閾値（３℃）未満（空調負荷は小）であるため、方式判定部５０は方式指示信号をハイレベルにして出力する。このため、電源装置１は引き続きブリッジレス方式で動作する。
【００４４】
一方、室外機制御部９は室温がｔ５から徐々に上昇し、ｔ６で設定温度＋１℃となったため、ｔ６以降で圧縮機のモータ６の運転を開始するが、室温が設定温度に近接しており空調負荷が小さいため、圧縮機のモータ６を低速回転で連続運転する。そして、室温がｔ７で２７℃まで低下したため、室内機５はモータ６の運転を停止させる運転指示を室外機制御部９へ出力し、この運転指示が入力された室外機制御部９はｔ７以降にモータ６の回転数を徐々に低下させてｔ８でモータ６の運転を停止させる。そして、室外機制御部９はｔ８でモータ６の運転を停止させた時、運転情報を方式判定部５０へ送信する。これが入力された方式判定部５０は、前述したように温度差を求める。ｔ８時点での温度差は−１℃であるため、方式判定部５０は方式指示信号をハイレベルにして出力する。このため、電源装置１は引き続きブリッジレス方式で動作する。
【００４５】
室外機制御部９がｔ８で圧縮機のモータ６の運転を停止したため、ｔ８から室温が徐々に上昇し、さらに、図示しない窓やドアなどの開放により室温が急激に上昇し、ｔ９で３１℃になっている。このため室内機５はｔ９でモータ６の運転を開始させる運転指示を室外機制御部９へ出力し、この運転指示が入力された室外機制御部９はこの運転開始と運転モード（冷房）と設定温度（２８℃）とｔ９時点での室温（３１℃）からなる運転情報を方式判定部５０へ出力する。これが入力された方式判定部５０は、前述したように温度差を求める。ｔ９時点での温度差は３℃であり温度差閾値以上（空調負荷大）であるため、方式判定部５０は方式指示信号をローレベルにして出力する。このため、切替部８はインターリーブ方式の回路に切り替え、スイッチング制御部４０もインターリーブ方式で動作する。
【００４６】
以上説明したように、電源装置１のスイッチング制御部４０に対してインターリーブ方式又はブリッジレス方式を選択して動作させることが可能なため、大きな負荷の場合でも小さな負荷の場合でも電力変換効率が高い制御方式を選択して使用することができる。
また、この電源装置１を搭載した空気調和機１０によれば、空調負荷の大小を判別し、この判別結果に対応して電源装置を最適な方式で動作させることができ、電力変換効率が高い空気調和機１０を提供することができる。
【実施例２】
【００４７】
図３はリレーを３つ用いた別の切替部３１を説明する要部ブロック図である。この例では図１の切替部８と同様の機能である切替部３１を備えた電源装置７を示している。なお、この切替部３１以外の回路は図１と同じであるため説明を省略する。
【００４８】
切替部３１はａ接点のリレー２９とｂ接点のリレー２２とａ接点のリレー２４を備えており、リレー２２とリレー２９の一方の接点端子はそれぞれインダクタ１４の他端に接続され、リレー２９の他方の接点端子は配線３２に、また、リレー２２の他方の接点はブリッジダイオード１３の正極端子にそれぞれ接続されている。また、リレー２４の一方の接点端子はブリッジダイオード１３の正極端子に、リレー２４の他方の接点端子は配線３３にそれぞれ接続されている。また、それぞれのリレーに方式指示信号が接続されている。
【００４９】
図３の切替部３１は方式指示信号がローレベルの状態であり、この結果インターリーブ方式に切り替えられた状態を示している。方式指示信号がハイレベルになるとブリッジレス方式に切り替えられる。なお、図３ではリレーを３個使用しているが、これに限るものでなく、３回路のリレーを１個用いてもよい。この切替部３１を備えた電源装置７は電源装置１と同様の効果を備えている。
【符号の説明】
【００５０】
１  電源装置
２  室外機
３  交流電源
４  インバータ
５  室内機
５ａ  リモコン
５ｂ  温度センサ
６  モータ
７  電源装置
８  切替部（切替手段）
９  室外機制御部
１０  空気調和機
１１  リレー
１１ａ  ａ接点
１１ｃ  ｃ接点
１２  リレー
１２ａ  ａ接点
１２ｂ  ｂ接点
１２ｃ  ｃ接点
１３  ブリッジダイオード
１４  インダクタ（第１インダクタ）
１５  インダクタ（第２インダクタ）
１６  スイッチング素子（第２スイッチング素子）
１７  スイッチング素子（第１スイッチング素子）
１８  ダイオード（第１ダイオード）
１９  ダイオード（第２ダイオード）
２０  平滑コンデンサ
２１  直流電圧検出部
２２  リレー
２３  直流電流検出部
２４  リレー
２５  正極出力端
２６  負極出力端
２７  入力端
２８  入力端
２９  リレー
３０  交流電圧検出部
３１  切替部（切替手段）
３２  配線（第１配線）
３３  配線（第２配線）
３４  指示入力端
４０  スイッチング制御部（スイッチング制御手段）
４１  信号切替部（信号切替手段）
４２  ブリッジレス方式制御部（ブリッジレス方式制御手段）
４３  インターリーブ方式制御部（インターリーブ方式制御手段）
４４  ノット回路（反転手段）
５０  方式判定部（方式判定手段）
【図１】
2018029457.tif 000003
【図２】
2018029457.tif 000004
【図３】
2018029457.tif 000005
【図４】
2018029457.tif 000006
【図５】
2018029457.tif 000007
【図６】
2018029457.tif 000008
【図７】
2018029457.tif 000009